(57)【要約】【課題】荷物の交換を容易に行うことが可能なキックスクータを提供する。【解決手段】ボード本体２と、前輪３と、後輪４と、ハンドル５とを有するキックスクータ１であって、ハンドル５はボード本体２に立設された縦支柱１５を有し、縦支柱１５に、荷物６を取外し自在に掛止する掛止部材２１が設けられ、掛止部材２１は、掛止された荷物６が脱落するのを防止する脱落防止手段２４を有している。【選択図】図１
2017023490.tif 000002
【特許請求の範囲】
【請求項１】
ボード本体と、前輪と、後輪と、ハンドルとを有するキックスクータであって、
ハンドルはボード本体に立設された縦支柱を有し、
縦支柱に、荷物を取外し自在に掛止する掛止部材が設けられ、
掛止部材は、掛止された荷物が脱落するのを防止する脱落防止手段を有していることを特徴とするキックスクータ。
【請求項２】
掛止部材に掛止された荷物を縦支柱に固定する荷物固定手段が備えられていることを特徴とする請求項１記載のキックスクータ。
【請求項３】
荷物固定手段は、縦支柱に設けられた第１固定部と、荷物に巻き付けられたバンドと、バンドに設けられた第２固定部とを有し、
第１固定部と第２固定部とを係合することによって荷物が固定されることを特徴とする請求項２記載のキックスクータ。
【請求項４】
バンドは、バンド本体と、バンド本体の両端部に設けられて互いに着脱自在に連結可能な一対の連結具とを有し、
バンド本体は、伸縮自在な一方および他方のバンド片と、両方のバンド片間に連結される非伸縮性の連結バンド部とを有し、
第１固定部と第２固定部とはそれぞれ一対ずつ設けられ、
第２固定部は一方および他方のバンド片に設けられ、
連結バンド部は一対の第２固定部間に設けられ、
バンドが荷物から取り外された状態で、バンドの一対の第２固定部間の間隔が一対の第１固定部間の間隔よりも大きく、
バンドが荷物に巻き付けられた状態で、いずれか一方のバンド片を伸ばすことにより、一方の第１固定部と一方の第２固定部とが係合可能であり、他方のバンド片を伸ばすことにより、他方の第１固定部と他方の第２固定部とが係合可能であることを特徴とする請求項３記載のキックスクータ。
【請求項５】
ボード本体と、前輪と、後輪と、ハンドルとを有するキックスクータであって、
ハンドルはボード本体に立設された縦支柱を有し、
縦支柱に、荷物を掛止する掛止部材が設けられ、
掛止部材は縦支柱を中心に回動可能であり、
掛止部材を縦支柱に固定する固定手段が設けられていることを特徴とするキックスクータ。
【請求項６】
掛止部材は縦支柱の周方向における複数の切換位置に切り換え可能であり、
掛止部材を切換位置に位置決めする位置決め手段が設けられていることを特徴とする請求項５記載のキックスクータ。
【請求項７】
掛止部材は縦支柱に対して着脱自在であり、
掛止部材が位置決め手段によって切換位置に位置決めされている状態で、掛止部材の縦支柱からの離脱を阻止する離脱阻止手段が備えられていることを特徴とする請求項６記載のキックスクータ。
【請求項８】
前輪に引っ掛けて前輪を回り止めする回止部材が設けられていることを特徴とする請求項１から請求項７のいずれか１項に記載のキックスクータ。
【請求項９】
ハンドルは縦支柱が起立した起立姿勢からボード本体側に倒れる横倒姿勢に折り畳み可能であることを特徴とする請求項１から請求項８のいずれか１項に記載のキックスクータ。
【請求項１０】
上記請求項９に記載のキックスクータを用いた荷物の運搬方法であって、
荷物を掛止部材に掛止し、
縦支柱を起立姿勢からボード本体側に倒してハンドルを折り畳み、
横倒姿勢のハンドルを持って後輪を浮き上がらせ、
前輪が接地した状態でキックスクータを移動させることを特徴とする荷物の運搬方法。
【請求項１１】
伸縮自在なバンド本体の両端部に、互いに着脱自在に連結可能な連結具と、指を引っ掛けることが可能な係止部材とが設けられ、
連結された両連結具同士が両係止部材間に位置することを特徴とする締結用バンド。
【発明の詳細な説明】
【技術分野】
【０００１】
本発明は、キックスクータ、キックスクータを用いた荷物の運搬方法および締結用バンドに関する。
【背景技術】
【０００２】
従来、この種のキックスクータは、図２１に示すように、ボード本体１２１と前輪１２２と後輪１２３とハンドル１２４とを有している。ハンドル１２４はボード本体１２１の前部に立設された縦支柱１２５を有している。縦支柱１２５にはバッグ１２６が装着されている。すなわち、バッグ１２６の背面には取付具１２７とブラケット１２８とが設けられ、これら取付具１２７とブラケット１２８とを介してバッグ１２６が縦支柱１２５に装着されている。
【０００３】
また、図２２に示すように、１３１はバッグ１２６に巻き付けられるバンドである。このバンド１３１は、伸縮自在なバンド本体１３２と、バンド本体１３２の両端部に設けられた雄連結片１３３および雌連結片１３４とを有している。
【０００４】
バッグ１２６にバンド１３１を巻き付ける際、バンド本体１３２を両手で引き伸ばした状態でバッグ１２６に巻き付け、雄連結片１３３を雌連結片１３４に嵌め込んでこれら雄連結片１３３と雌連結片１３４とを結合する。
【０００５】
尚、上記のようなバッグ付きのキックスクータ１２０は例えば下記特許文献１に記載されており、上記のようなバンド１３１は例えば下記特許文献２に記載されている。
【先行技術文献】
【特許文献】
【０００６】
【特許文献１】特開２０１４−１８５９３
【特許文献２】実開平３−８９６１９
【発明の概要】
【発明が解決しようとする課題】
【０００７】
しかしながら上記の従来形式では、バッグ１２６は取付具１２７とブラケット１２８とを介してハンドル１２４の縦支柱１２５に装着されているため、バッグ１２６を縦支柱１２５から取り外して別のバッグ１２６に交換することは困難である。また、交換したい別のバッグ１２６の背面にも取付具１２７とブラケット１２８とを備え付けておく必要があるため、バッグ１２６の交換を容易に行うことができなかった。
【０００８】
また、バッグ１２６はハンドル１２４の縦支柱１２５の前側に装着されているため、キックスクータの重心が前方へ偏り、走行時の安定性が低下する虞がある。
また、バッグ１２６にバンド１３１を巻き付ける際、バンド本体１３２を両手で強制的に引き伸ばした状態で、雄連結片１３３を雌連結片１３４に嵌め込むため、バンド１３１の巻付作業が行い難かった。
【０００９】
本発明は、荷物の交換を容易に行うことが可能であり、また、荷物を取り付けて走行する際の安定性を向上させることができるキックスクータおよびキックスクータを用いた荷物の運搬方法を提供し、また、巻付作業を容易に行うことができる締結用バンドを提供することを目的とする。
【課題を解決するための手段】
【００１０】
上記目的を達成するために、本第１発明は、ボード本体と、前輪と、後輪と、ハンドルとを有するキックスクータであって、
ハンドルはボード本体に立設された縦支柱を有し、
縦支柱に、荷物を取外し自在に掛止する掛止部材が設けられ、
掛止部材は、掛止された荷物が脱落するのを防止する脱落防止手段を有しているものである。
【００１１】
これによると、荷物を掛止部材に掛止し、キックスクータを走行させているとき、脱落防止手段によって荷物が掛止部材から脱落するのを防止することができる。
また、荷物を掛止部材から取り外し、別の荷物を掛止部材に掛止することにより、荷物の交換を容易に行うことが可能である。
【００１２】
本第２発明におけるキックスクータは、掛止部材に掛止された荷物を縦支柱に固定する荷物固定手段が備えられているものである。
これによると、荷物を、掛止部材に掛止し、荷物固定手段で縦支柱に固定する。この状態でキックスクータを走行させることにより、走行中に荷物が揺れたりがたつくのを防止することができる。
【００１３】
本第３発明におけるキックスクータは、荷物固定手段は、縦支柱に設けられた第１固定部と、荷物に巻き付けられたバンドと、バンドに設けられた第２固定部とを有し、
第１固定部と第２固定部とを係合することによって荷物が固定されるものである。
【００１４】
これによると、バンドを荷物に巻き付け、荷物を掛止部材に掛止し、第１固定部と第２固定部とを係合することによって、荷物を縦支柱に固定することができる。また、第１固定部と第２固定部とを離脱させることにより、荷物の固定を解除することができる。
【００１５】
本第４発明におけるキックスクータは、バンドは、バンド本体と、バンド本体の両端部に設けられて互いに着脱自在に連結可能な一対の連結具とを有し、
バンド本体は、伸縮自在な一方および他方のバンド片と、両方のバンド片間に連結される非伸縮性の連結バンド部とを有し、
第１固定部と第２固定部とはそれぞれ一対ずつ設けられ、
第２固定部は一方および他方のバンド片に設けられ、
連結バンド部は一対の第２固定部間に設けられ、
バンドが荷物から取り外された状態で、バンドの一対の第２固定部間の間隔が一対の第１固定部間の間隔よりも大きく、
バンドが荷物に巻き付けられた状態で、いずれか一方のバンド片を伸ばすことにより、一方の第１固定部と一方の第２固定部とが係合可能であり、他方のバンド片を伸ばすことにより、他方の第１固定部と他方の第２固定部とが係合可能である。
【００１６】
これによると、バンドを荷物に巻き付け、荷物を掛止部材に掛止し、次に、いずれか一方のバンド片を伸ばして、一方の第１固定部と一方のバンド片の第２固定部とを係合し、その後、他方のバンド片を伸ばして、他方の第１固定部と他方の第２固定部とを係合する。これにより、連結バンド部が撓んで、一方の第１固定部と一方の第２固定部との係合および他方の第１固定部と他方の第２固定部との係合が容易に行える。
【００１７】
本第５発明は、ボード本体と、前輪と、後輪と、ハンドルとを有するキックスクータであって、
ハンドルはボード本体に立設された縦支柱を有し、
縦支柱に、荷物を掛止する掛止部材が設けられ、
掛止部材は縦支柱を中心に回動可能であり、
掛止部材を縦支柱に固定する固定手段が設けられているものである。
【００１８】
これによると、荷物を掛止部材に掛止し、キックスクータを走行させることにより、荷物を運搬することができる。この際、例えば、縦支柱を中心に掛止部材を回動させて、掛止部材を後向きに切り換えて、後向きの掛止部材を固定手段で縦支柱に固定することができる。これにより、荷物はハンドルの縦支柱の後側で掛止部材に掛止されるため、キックスクータの重心が前方へ偏るのを防止することができ、走行時の安定性が向上する。
【００１９】
本第６発明におけるキックスクータは、掛止部材は縦支柱の周方向における複数の切換位置に切り換え可能であり、
掛止部材を切換位置に位置決めする位置決め手段が設けられているものである。
【００２０】
これによると、縦支柱を中心に掛止部材を回動させて、掛止部材を複数の切換位置に切り換えることにより、掛止部材を複数の向き（例えば前向きや後向き）に切り換えることができる。
【００２１】
この際、掛止部材は、位置決め手段によって、所望の切換位置（例えば前向き位置や後向き位置）に正確に位置決めされる。
本第７発明におけるキックスクータは、掛止部材は縦支柱に対して着脱自在であり、
掛止部材が位置決め手段によって切換位置に位置決めされている状態で、掛止部材の縦支柱からの離脱を阻止する離脱阻止手段が備えられているものである。
【００２２】
これによると、掛止部材を縦支柱に着脱することにより、掛止部材を容易に交換することができる。また、切換位置に位置決めされている掛止部材は離脱阻止手段によって縦支柱から離脱するのを阻止されるため、切換位置において掛止部材が不用意に縦支柱から外れてしまうのを防止することができる。
【００２３】
本第８発明におけるキックスクータは、前輪に引っ掛けて前輪を回り止めする回止部材が設けられているものである。
これによると、キックスクータを停止し、回止部材を前輪に引っ掛けて、前輪を回り止めすることにより、キックスクータが坂道等において不用意に移動するのを防止することができるため、掛止部材の向きを変えたり、荷物を掛止部材に掛止する等の作業を容易に行うことができる。
【００２４】
本第９発明におけるキックスクータは、ハンドルは縦支柱が起立した起立姿勢からボード本体側に倒れる横倒姿勢に折り畳み可能であるものである。
これによると、荷物を掛止部材に掛止し、縦支柱を起立姿勢からボード本体側に倒してハンドルを折り畳み、ハンドルを持って後輪を浮き上がらせ、前輪が接地した状態でキックスクータを移動させることができる。これにより、前輪を接地させた状態で、ハンドルを持ってキックスクータを引きながら（又は押しながら）移動させ、荷物を容易に運搬することができる。
【００２５】
本第１０発明は、上記第８発明に記載のキックスクータを用いた荷物の運搬方法であって、
荷物を掛止部材に掛止し、
縦支柱を起立姿勢からボード本体側に倒してハンドルを折り畳み、
横倒姿勢のハンドルを持って後輪を浮き上がらせ、
前輪が接地した状態でキックスクータを移動させるものである。
【００２６】
これによると、前輪を接地させた状態で、横倒姿勢のハンドルを持ってキックスクータを引きながら（又は押しながら）移動させ、荷物を容易に運搬することができる。
本第１１発明における締結用バンドは、伸縮自在なバンド本体の両端部に、互いに着脱自在に連結可能な連結具と、指を引っ掛けることが可能な係止部材とが設けられ、
連結された両連結具同士が両係止部材間に位置するものである。
【００２７】
これによると、締結用バンドを荷物に巻き付ける際、バンド本体を荷物に添わせ、両手の指を両係止部材に引っ掛けて、両係止部材が互いに接近するようにバンド本体を引き伸ばすことにより、容易に連結具同士を連結することができる。これにより、バンド本体を引き伸ばして、締結用バンドを容易に荷物に巻き付けることができる。
【発明の効果】
【００２８】
以上のように本発明によると、荷物の交換を容易に行うことが可能であり、また、荷物を取り付けて走行する際の安定性を向上させることができる。また、締結用バンドを荷物に巻き付ける作業が容易に行える。
【図面の簡単な説明】
【００２９】
【図１】本発明の第１の実施の形態におけるキックスクータの側面図である。
【図２】同、キックスクータの斜視図である。
【図３】同、キックスクータを折り畳んだ側面図である。
【図４】同、キックスクータの一部拡大側面図である。
【図５】同、キックスクータの掛止部材のフック部を取付部から取り外したときの斜視図である。
【図６】同、キックスクータの掛止部材のフック部の下面側の斜視図である。
【図７】同、キックスクータの掛止部材の平面図であり、掛止部材を第１切換位置に切り換えた状態を示す。
【図８】同、キックスクータの掛止部材の底面図であり、掛止部材を第１切換位置に切り換えた状態を示す。
【図９】同、キックスクータの掛止部材の側面図であり、掛止部材を第１切換位置に切り換えた状態を示す。
【図１０】図９におけるＸ−Ｘ矢視図である。
【図１１】同、キックスクータの掛止部材の平面図であり、掛止部材を第２切換位置に切り換えた状態を示す。
【図１２】同、キックスクータの掛止部材の底面図であり、掛止部材を第２切換位置に切り換えた状態を示す。
【図１３】同、キックスクータの掛止部材の側面図であり、掛止部材を第２切換位置に切り換えた状態を示す。
【図１４】図４におけるＸ−Ｘ矢視図である。
【図１５】同、キックスクータに備えられるケースの前側の斜視図である。
【図１６】同、キックスクータに備えられるケースの後側の斜視図である。
【図１７】同、キックスクータに備えられるケースに装着されるバンドの斜視図であり、ケースから取り外した状態を示す。
【図１８】同、キックスクータの回止部材の斜視図である。
【図１９】同、キックスクータを用いてケースを運搬している図である。
【図２０】同、キックスクータに備えられるケースにバンドを巻き付ける要領を示す図である。
【図２１】従来のバッグ付きキックスクータの側面図である。
【図２２】従来のバンドの斜視図である。
【発明を実施するための形態】
【００３０】
以下、本発明における実施の形態を、図面を参照して説明する。
図１，図２に示すように、１はキックスクータであり、ボード本体２と、ボード本体２の前部に設けられた左右一対の前輪３と、ボード本体２の後部に設けられた後輪４と、ハンドル５と、収納用のケース６（荷物の一例）とを有している。
【００３１】
図１５に示すように、ケース６は、上部に取っ手１１を備えたケース本体９と、開閉自在な蓋１０と、下部に設けられたキャスター１２とを有している。
キックスクータ１の両前輪３は、ボード本体２の前部に取り付けられた車輪支持アーム７に設けられており、左右方向へ換向自在である。例えば、ボード本体２上の左側に体重をかけて、ハンドル５と共にボード本体２を左側に傾斜させた場合、両前輪３が直進方向から左向きに換向し、反対に、右側に体重をかけて、ハンドル５と共にボード本体２を右側に傾斜させた場合、両前輪３が右向きに換向するように構成されている。尚、前輪３は複数の開口部８を有している。
【００３２】
ハンドル５は、ボード本体２の前部に立設された縦支柱１５と、縦支柱１５の上端に設けられたハンドルバー１６とを有している。縦支柱１５は、外パイプ１７と、外パイプ１７内に挿入された内パイプ１８とを有し、内パイプ１８を外パイプ１７に対して出し入れすることで、伸縮可能となる。
【００３３】
また、ハンドル５は、縦支柱１５が起立した起立姿勢Ｓ（図１，図２参照）からボード本体２側に倒れる横倒姿勢Ｔ（図３参照）に折り畳み可能である。尚、縦支柱１５の下部には、縦支柱１５を起立姿勢Ｓと横倒姿勢Ｔとに固定するスリーブ式のロック機構１９が設けられている。
【００３４】
図４，図５に示すように、縦支柱１５の外パイプ１７には、ケース６を取外し自在に掛止する掛止部材２１が設けられている。掛止部材２１は、外パイプ１７に外嵌されて外パイプ１７を中心に回動自在な取付部２２と、取付部２２に着脱自在に設けられたフック部２３と、掛止されたケース６が脱落するのを防止する脱落防止手段２４とを有している。これにより、掛止部材２１は、縦支柱１５を中心に回動可能であるとともに、フック部２３が縦支柱１５に対して着脱自在である。
【００３５】
取付部２２は、外パイプ１７に設けられた円筒状の支持部材２５によって下方から支持されている。また、図５，図７に示すように、取付部２２には、掛止部材２１の回動を固定する固定手段４３が設けられている。固定手段４３は、取付部２２に設けられた固定バンド４４と、固定バンド４４を締め付けたり緩めたりするための操作レバー４５とを有している。
【００３６】
図５〜図９に示すように、フック部２３は、ケース６の取っ手１１を下方から受ける受け板２７と、受け板２７の先端部から上向きに突出した突起板２８と、受け板２７の基端部に設けられたブラケット２９とを有している。
【００３７】
脱落防止手段２４は、縦支柱１５の径方向と同方向である移動経路３０に沿って受け板２７上を移動自在な押付部材３１と、押付部材３１を移動経路３０に沿ってブラケット２９側から突起板２８側へ押圧するコイルバネ３２と、押付部材３１を移動経路３０に沿って案内する案内機構３３とを有している。
【００３８】
押付部材３１は、突起板２８に対向する押付部本体３４と、押付部本体３４の上部から突起板２８に向って張り出した浮き上り防止板３５と、押付部本体３４の上部に設けられた操作用突片３６とを有している。
【００３９】
図６，図８，図１０に示すように、案内機構３３は押付部本体３４の下面から下向きに突出した案内突部３７と、案内突部３７の下端に設けられた円板状の抜止用部材３８とを有している。受け板２７には、移動経路３０に沿って長い案内孔４０が形成され、案内突部３７が上方から案内孔４０に嵌入され、抜止用部材３８が受け板２７の下面に摺接自在である。
【００４０】
掛止部材２１は、縦支柱１５を中心に回動して、前向きの第１切換位置Ａ（図７参照）と後向きの第２切換位置Ｂ（図１１参照）とに切り換え可能であり、位置決め手段４８によって、第１および第２切換位置Ａ，Ｂに位置決めされる。
【００４１】
図５，図６，図８，図１２に示すように、位置決め手段４８は、掛止部材２１のブラケット２９に設けられた上下方向の第１および第２位置決めピン４９，５０と、支持部材２５に設けられた位置決め突片５１とを有している。第１および第２位置決めピン４９，５０はそれぞれ、直径が縮小された嵌合部５２を有している。また、位置決め突片５１は一対の第１および第２凹部５３，５４を有しており、掛止部材２１の回動により、第１位置決めピン４９の嵌合部５２が第１凹部５３に対して嵌脱自在であるとともに、第２位置決めピン５０の嵌合部５２が第２凹部５４に対して嵌脱自在である。
【００４２】
掛止部材２１の取付部２２には、上下方向に貫通する二つのピン孔５６が形成されている。第１および第２位置決めピン４９，５０を上方から両ピン孔５６に挿入することによって、図９に示すようにフック部２３が取付部２２に設けられ、図５に示すように第１および第２位置決めピン４９，５０を両ピン孔５６から上方へ脱抜することによって、フック部２３が取付部２２から取り外される。
【００４３】
尚、図９に示すように、第１および第２位置決めピン４９，５０を両ピン孔５６に挿入して、フック部２３を取付部２２に取り付けた状態においては、第１および第２位置決めピン４９，５０の嵌合部５２がピン孔５６から取付部２２の下方へ露出する。
【００４４】
図４の実線および図７〜図９に示すように、縦支柱１５を中心にして掛止部材２１を左右一方Ｃへ回動した場合、掛止部材２１と共に第１および第２位置決めピン４９，５０も左右一方Ｃへ回動し、第１位置決めピン４９の嵌合部５２が第１凹部５３に嵌合することにより、掛止部材２１が第１切換位置Ａに位置決めされる。
【００４５】
同様に、図４の仮想線および図１１〜図１３に示すように、掛止部材２１を左右他方Ｄへ回動した場合、掛止部材２１と共に第１および第２位置決めピン４９，５０も左右他方Ｄへ回動し、第２位置決めピン５０の嵌合部５２が第２凹部５４に嵌合することにより、掛止部材２１が第２切換位置Ｂに位置決めされる。
【００４６】
また、図４の実線に示すように掛止部材２１が第１切換位置Ａに位置決めされている状態において、図９に示すように、第１位置決めピン４９の嵌合部５２が第１凹部５３に嵌合しているので、第１位置決めピン４９が上下方向において位置決め突片５１に係合し、第１および第２位置決めピン４９，５０を両ピン孔５６から上方へ脱抜することが阻止される。このため、第１切換位置Ａに切り換えられた掛止部材２１のフック部２３が縦支柱１５から離脱することは阻止される。
【００４７】
同様に、図４の仮想線に示すように掛止部材２１が第２切換位置Ｂに位置決めされている状態において、図１３に示すように、第２位置決めピン５０の嵌合部５２が第２凹部５４に嵌合しているので、第２位置決めピン５０が上下方向において位置決め突片５１に係合し、第１および第２位置決めピン４９，５０を両ピン孔５６から上方へ脱抜することが阻止される。このため、第２切換位置Ｂに切り換えられた掛止部材２１のフック部２３が縦支柱１５から離脱することは阻止される。
【００４８】
これにより、掛止部材２１が位置決め手段４８によって切換位置Ａ，Ｂに位置決めされている状態で、掛止部材２１の縦支柱１５からの離脱を阻止する離脱阻止手段５８が、両位置決めピン４９，５０の嵌合部５２と位置決め突片５１の両凹部５３，５４とで構成されている。
【００４９】
図４，図１４に示すように、掛止部材２１に掛止されたケース６を縦支柱１５に固定する荷物固定手段６４が備えられている。荷物固定手段６４は、縦支柱１５の外パイプ１７に設けられた第１固定手段６０と、ケース６に巻き付けられた締結用のバンド８０と、バンド８０に設けられた第２固定手段８９とを有している。
【００５０】
第１固定手段６０は、掛止部材２１よりも下方に位置しており、外パイプ１７に外嵌されて外パイプ１７を中心に回動自在な取付板６１と、取付板６１に立設された上下方向の二本（すなわち一対）の固定ピン６２（第１固定部の一例）とを有している。
【００５１】
図１５〜図１７に示すように、バンド８０は長さ方向に伸縮自在なバンド本体８１を有し、バンド本体８１の両端部には、互いに着脱自在に連結可能な一方および他方の連結具８２，８３と、指を引っ掛けることが可能な一方および他方の係止部材８４，８５とが設けられている。
【００５２】
バンド本体８１は、ゴム製等の伸縮性を有する分断された一方および他方のバンド片８１ａ，８１ｂと、これら両バンド片８１ａ，８１ｂの端部同士に連結される布製等の非伸縮性（伸縮性のほとんど無い）の連結バンド部８１ｃとを有しており、両バンド片８１ａ，８１ｂを連結バンド部８１ｃで繋いで一本にしたものである。
【００５３】
一方の連結具８２は雄型であり、他方の連結具８３は雌型であり、一方の連結具８２は他方の連結具８３に差し込まれて係脱自在な一対の係止爪８７を有している。
一方および他方の係止部材８４，８５はそれぞれリング形状に形成され、係止部材８４，８５の内周とバンド本体８１の端部との間に、指を挿入することが可能な空間８８が形成される。尚、一方の連結具８２を他方の連結具８３に差し込んで両連結具８２，８３同士を連結した際、連結された両連結具８２，８３同士が両係止部材８４，８５間に位置する。
【００５４】
第２固定手段８９は、上下両端部が開口した２本（すなわち一対）の固定筒９０（第２固定部の一例）を有している。尚、固定筒９０は、一方のバンド片８１ａの連結バンド部８１ｃ側の端部と、他方のバンド片８１ｂの連結バンド部８１ｃ側の端部とに取り付けられている。
【００５５】
両固定筒９０を上方から両固定ピン６２に外嵌することにより、第１固定手段６０と第２固定手段８９とが係合し、ケース６の下部が固定される。尚、バンド８０がケース６から取り外された状態では、一対の固定筒９０間の間隔Ｅ（図１７参照）が一対の固定ピン６２間の間隔Ｆ（図１４参照）よりも大きく設定されている。
【００５６】
図２，図１８に示すように、縦支柱１５には、前輪３に引っ掛けて前輪３を回り止めする回止部材６６が設けられている。回止部材６６は、車輪支持アーム７および前輪３の開口部８に係脱自在なＪ形状のフック６７と、縦支柱１５に接続されてフック６７を吊るす伸縮自在なゴム製の紐６８とを有している。
【００５７】
尚、図１８の仮想線で示すように、フック６７を車輪支持アーム７に係止した場合、前輪３が回転可能となって、キックスクータ１が走行可能になる。また、図１８の実線で示すように、フック６７を前輪３の開口部８に係止した場合、前輪３が回り止めされる。
【００５８】
以下、上記構成における作用を説明する。
締結用のバンド８０をケース６に巻き付けておく。この際、図１５に示すように、一方および他方の連結具８２，８３をケース６の正面側すなわち蓋１０の側に位置させ、図１６に示すように、第２固定手段８９をケース６の背面側すなわちケース本体９の側に位置させておく。尚、このとき、バンド８０の一方および他方のバンド片８１ａ，８１ｂは伸長しているが、連結バンド部８１ｃは非伸縮性であるため、一対の固定筒９０間の間隔Ｅに保たれている。
（１）キックスクータ１を走行させてケース６を運搬する場合を以下に説明する。
【００５９】
ハンドル５を縦支柱１５が起立した起立姿勢Ｓに切り換え、ロック機構１９によって起立姿勢Ｓに固定する。そして、固定手段４３の操作レバー４５を操作して固定バンド４４を緩め、掛止部材２１の固定を解除する。
【００６０】
その後、図１１〜図１３に示すように、縦支柱１５を中心に、掛止部材２１を、左右他方Ｄへ回動して後向きにし、第２切換位置Ｂに切り換える。この際、第２位置決めピン５０の嵌合部５２が位置決め突片５１の第２凹部５４に嵌合することにより、掛止部材２１が第２切換位置Ｂに正確に位置決めされる。
【００６１】
このように掛止部材２１が第２切換位置Ｂに位置決めされている状態において、第２位置決めピン５０の嵌合部５２が第２凹部５４に嵌合しているので、第２位置決めピン５０が上下方向において位置決め突片５１に係合し、第１および第２位置決めピン４９，５０を両ピン孔５６から上方へ脱抜することが阻止される。このため、第２切換位置Ｂに切り換えられた掛止部材２１のフック部２３が不用意に取付部２２から離脱することは阻止され、第２切換位置Ｂにおいて掛止部材２１が不用意に縦支柱１５から外れてしまうのを防止することができる。
【００６２】
その後、固定手段４３の操作レバー４５を操作して固定バンド４４を締め付け、掛止部材２１を第２切換位置Ｂに固定することにより、掛止部材２１が縦支柱１５を中心に不用意に回動するのを防止することができる。
【００６３】
次に、掛止部材２１のフック部２３にケース６の取っ手１１を引っ掛ける。この際、手で操作用突片３６を操作し、コイルバネ３２の押圧力に抗して押付部材３１を移動経路３０に沿ってブラケット２９の側へ退避させ、押付部材３１と突起板２８との間隔を拡大しておく。
【００６４】
このようにしてケース６の取っ手１１をフック部２３に引っ掛けた後、操作用突片３６から手を離すことによって、押付部材３１が、コイルバネ３２の押圧力により、移動経路３０に沿ってブラケット２９の側から突起板２８の側へ押圧されて移動する。
【００６５】
これにより、取っ手１１がフック部２３の突起板２８と押付部材３１の押付部本体３４との間に挟持されるとともに、浮き上り防止板３５によって取っ手１１の浮き上りが防止されるため、ケース６の取っ手１１が掛止部材２１のフック部２３から脱落するのを防止することができる。
【００６６】
また、図１４に示すように、バンド８０のいずれか一方のバンド片８１ａを伸ばして、一方の固定筒９０を上方から一方の固定ピン６２に外嵌し、その後、他方のバンド片８１ｂを伸ばして、他方の固定筒９０を上方から他方の固定ピン６２に外嵌することにより、連結バンド部８１ｃが撓んで、第１固定手段６０と第２固定手段８９とが容易に係合し、ケース６の下部が縦支柱１５に固定される。
【００６７】
その後、左右一方の足をボード本体２の載せ、他方の足で地面を蹴ることによって、キックスクータ１を走行させ、ケース６を運搬することができる。この際、体重を左に傾けることにより、両前輪３が直進方向から左向きに換向して、キックスクータ１が左に旋回し、反対に、体重を右に傾けることにより、両前輪３が右向きに換向して、キックスクータ１が右に旋回する。
【００６８】
また、上記のように荷物固定手段６４の第１固定手段６０と第２固定手段８９とが係合して、ケース６の下部が縦支柱１５に固定されるため、キックスクータ１の走行中に、ケース６が揺れたりがたつくのを防止することができる。
【００６９】
また、図１の実線で示すように、掛止部材２１を後向きに切り換えることにより、ケース６はハンドル５の縦支柱１５の後側で掛止部材２１に掛止されるため、キックスクータ１の重心が前方へ偏るのを防止することができ、走行時の安定性が向上する。
【００７０】
また、ケース６を取り外す場合は、荷物固定手段６４の第２固定手段８９の両固定筒９０を第１固定手段６０の両固定ピン６２の上方に離脱して、ケース６の下部の縦支柱１５への固定を解除する。
【００７１】
そして、手で操作用突片３６を操作し、コイルバネ３２の押圧力に抗して押付部材３１を移動経路３０に沿ってブラケット２９の側へ退避させ、押付部材３１と突起板２８との間隔を拡大することにより、ケース６の取っ手１１を掛止部材２１のフック部２３から取り外すことができる。
【００７２】
このようにしてケース６をハンドル５から取り外した後、別のケース６を掛止部材２１に掛止することにより、種類やサイズ等が異なるケース６の交換を容易に行うことが可能である。
（２）次に、キックスクータ１を折り畳んでケース６を運搬する場合を以下に説明する。
【００７３】
先ず、固定手段４３の操作レバー４５を操作して固定バンド４４を緩め、掛止部材２１の固定を解除する。その後、図７〜図９に示すように、縦支柱１５を中心に、掛止部材２１を、左右一方Ｃへ回動して前向きにし、第１切換位置Ａに切り換える。この際、第１位置決めピン４９の嵌合部５２が位置決め突片５１の第１凹部５３に嵌合することにより、掛止部材２１が第１切換位置Ａに正確に位置決めされる。
【００７４】
このように掛止部材２１が第１切換位置Ａに位置決めされている状態において、第１位置決めピン４９の嵌合部５２が第１凹部５３に嵌合しているので、第１位置決めピン４９が上下方向において位置決め突片５１に係合し、第１および第２位置決めピン４９，５０を両ピン孔５６から上方へ脱抜することが阻止される。このため、第１切換位置Ａに切り換えられた掛止部材２１のフック部２３が不用意に取付部２２から離脱することは阻止され、第１切換位置Ａにおいて掛止部材２１が不用意に縦支柱１５から外れてしまうのを防止することができる。
【００７５】
その後、固定手段４３の操作レバー４５を操作して固定バンド４４を締め付け、掛止部材２１を第１切換位置Ａに固定することにより、掛止部材２１が縦支柱１５を中心に不用意に回動するのを防止することができる。
【００７６】
上記のように掛止部材２１を前向きに切り換えることにより、図１の仮想線および図４の実線で示すように、ケース６はハンドル５の縦支柱１５の前側で掛止部材２１に掛止される。この際、上記（１）と同様に、荷物固定手段６４の第１固定手段６０と第２固定手段８９とが係合し、ケース６の下部が縦支柱１５に固定される。
【００７７】
この状態で、ロック機構１９によるハンドル５の固定を解除し、図３に示すように、ハンドル５を縦支柱１５が起立姿勢Ｓからボード本体２側に倒れる横倒姿勢Ｔに折り畳んだ後、ロック機構１９によって横倒姿勢Ｔに固定する。
【００７８】
その後、図１９に示すように、ハンドル５を持ち上げて後輪４を地面から浮き上がらせ、両前輪３が接地した状態で折り畳まれたキックスクータ１を移動させることができる。これにより、両前輪３を接地させた状態で、ハンドル５を持ってキックスクータ１を引きながら（又は押しながら）移動させ、ケース６を容易に運搬することができる。
【００７９】
また、この際においても、ケース６の取っ手１１がフック部２３の突起板２８と押付部材３１の押付部本体３４との間に挟持されるとともに、浮き上り防止板３５によって取っ手１１の浮き上りが防止されるため、ケース６が左右に振れるのを防止できる。尚、このようなケース６の左右振れ防止効果については、荷物固定手段６４の両固定ピン６２が両固定筒９０から脱抜されている場合であっても、発揮される。
（３）また、以下のようにして掛止部材２１を交換することができる。すなわち、ハンドル５を起立姿勢Ｓに固定した状態で、固定手段４３の操作レバー４５を操作して固定バンド４４を緩め、掛止部材２１の固定を解除し、縦支柱１５を中心に、掛止部材２１を一方又は他方Ｃ，Ｄへ回動し、第１切換位置Ａと第２切換位置Ｂとの間の中途位置に切り換える。
【００８０】
これにより、第１位置決めピン４９の嵌合部５２が位置決め突片５１の第１凹部５３から離脱するとともに、第２位置決めピン５０の嵌合部５２が第２凹部５４から離脱するため、第１および第２位置決めピン４９，５０を両ピン孔５６から上方へ脱抜することが可能となり、図５に示すように、掛止部材２１のフック部２３を取付部２２から上方へ取り外すことができる。
【００８１】
その後、別のフック部２３の第１および第２位置決めピン４９，５０を上方から両ピン孔５６に挿入することにより、別のフック部２３を取付部２２に取り付けることができる。これにより、掛止部材２１を容易に交換することができる。
また、上記（１）〜（３）の取り扱いにおいて、キックスクータ１を走行させずに停止した状態で作業を行う場合、図１８の実線で示すように、回止部材６６のフック６７を前輪３の開口部８に係止して、前輪３を回り止めする。これにより、キックスクータ１が坂道等において不用意に移動するのを防止することができるため、掛止部材２１の向きを変えたり、ケース６を掛止部材２１に掛止する等の作業を容易に行うことができる。
【００８２】
また、図１８の仮想線で示すように、フック６７を前輪３の開口部８から離脱して車輪支持アーム７に係止することにより、前輪３の回り止めが解除され、キックスクータ１を走行させることができる。
（４）締結用のバンド８０をケース６に巻き付ける方法を以下に説明する。
先ず、一方の連結具８２と他方の連結具８３とを離脱させて、バンド８０を一直線状に延ばし、バンド８０の上に、蓋１０を上にしてケース６を載せる。その後、図２０に示すように、バンド８０の両端部を蓋１０の上面に重ね、両手の指をそれぞれ一方および他方の係止部材８４，８５に挿入して引っ掛け、両方の係止部材８４，８５が互いに接近するようにバンド本体８１を引き伸ばすことにより、図１５に示すように、容易に両方の連結具８２，８３同士を連結することができる。これにより、バンド本体８１を引き伸ばして、締結用バンド８０を容易にケース６に巻き付けることができる。
【００８３】
上記実施の形態では、荷物の一例としてケース６を挙げたが、ケース６に限定されるものではなく、取っ手を備えた鞄や段ボールの箱等であってもよい。
上記実施の形態では、脱落防止手段２４はコイルバネ３２を有しているが、コイルバネ３２以外の種類のバネ（例えば板バネ等）を用いてもよい。
【符号の説明】
【００８４】
１      キックスクータ
２      ボード本体
３      前輪
４      後輪
５      ハンドル
６      ケース（荷物）
１５    縦支柱
２１    掛止部材
２４    脱落防止手段
４３    固定手段
４８    位置決め手段
５８    離脱阻止手段
６２    固定ピン（第１固定部）
６４    荷物固定手段
６６    回止部材
８０    バンド
８１    バンド本体
８１ａ，８１ｂ  バンド片
８１ｃ  連結バンド部
８２，８３    連結具
８４，８５    係止部材
９０    固定筒（第２固定部）
Ａ，Ｂ    切換位置
Ｅ      一対の固定筒間の間隔
Ｆ      一対の固定ピン間の間隔
Ｓ      起立姿勢
Ｔ      横倒姿勢
【図１】
2017023490.tif 000003
【図２】
2017023490.tif 000004
【図３】
2017023490.tif 000005
【図４】
2017023490.tif 000006
【図５】
2017023490.tif 000007
【図６】
2017023490.tif 000008
【図７】
2017023490.tif 000009
【図８】
2017023490.tif 000010
【図９】
2017023490.tif 000011
【図１０】
2017023490.tif 000012
【図１１】
2017023490.tif 000013
【図１２】
2017023490.tif 000014
【図１３】
2017023490.tif 000015
【図１４】
2017023490.tif 000016
【図１５】
2017023490.tif 000017
【図１６】
2017023490.tif 000018
【図１７】
2017023490.tif 000019
【図１８】
2017023490.tif 000020
【図１９】
2017023490.tif 000021
【図２０】
2017023490.tif 000022
【図２１】
2017023490.tif 000023
【図２２】
2017023490.tif 000024